(57)【要約】      （修正有）【課題】車いすの前輪と後輪のタイヤを同時に清掃し、更に玄関よりホールや廊下などの段差を緩和するスロープの役目も果たす車いすタイヤの清掃機能を備えたスロープに関する。【解決手段】装置本体の、両側の側板構内に、車いすの幅が納まる長さの平行に施した複数のローラーと、その複数のローラーを周回するエンドレスローラーベルトや、そのベルトの外周にに強力粘着シートが装着されており、一方の側板構外に設施したペタルレバーの反転操作で、大小のギヤ更に、プーリーからベルトを介し各プーリーを連動し、構内のローラー群を回転させ、粘着シート上に載った車いす車輪の従転で、タイヤの接触面及び接触面近傍の塵や芥、埃などの汚れを、粘着シートで払拭することを特徴とする車いすタイヤ清掃装置。【選択図】図１
0003134455.tif 000002
【実用新案登録請求の範囲】
【請求項１】
装置本体の、両側の側板構内に、車いすの幅が納まる長さの平行に施した複数のローラーと、その複数のローラーを周回するエンドレスローラーベルトや、そのベルトの外周にに強力粘着シートが装着されており、一方の側板構外に設施したペタルレバーの反転操作で、大小のギヤ更に、プーリーからベルトを介し各プーリーを連動し、構内のローラー群を回転させ、前記粘着シート上に載った車いす車輪の従転で、タイヤの接触面及び接触面近傍の塵や芥、埃などの汚れを、前記粘着シートで払拭することを特徴とする車いすタイヤ清掃兼スロープ。
【請求項２】
前記ペタルレバーの反転は、そのペタルレバーの軸に連結している大のギヤから小のギヤへと連動し、その小のギヤに連結している大のプーリーから、ベルトを介し小のプーリーへと伝動し、更にその小のプーリーに連結している構内の各ローラーを連動するプーリーもベルトを介して連動し、ローラー群はプーリー群によって回転を成し、ローラー群に周回するエンドレスローラーベルトを旋回させることを特徴とする請求項１に記載の車いすタイヤ清掃兼スロープ。
【請求項３】
請求項１又は請求項２に於て、装置本体の構外に位置する、ラチェット組織のラチェットレバーの反転操作で、ラチェットギヤは反転し、そのギヤに支持したギヤ軸は、本体構内に入り螺旋状の溝を施してある昇降体の昇降軸となり、その昇降軸の螺旋状の螺子は、昇降体のたすき状のたすき桟下部に位置するたすき桟誘導台を通じ、たすき桟の下部を昇降体の中央方向へ引き寄せることで、昇降体上方部に設施して成る担い筋を押し上げ、清掃装置本体の前方下部を中心に、本体後部は立ち上がり、スロープとなることを特徴とする車いすタイヤ清掃兼スロープ。                                        
【考案の詳細な説明】
【技術分野】
【０００１】
本考案は、車いすの前輪と後輪のタイヤを同時に清掃し、更に玄関よりホールやローカなどの段差を緩和するスロープの役目も果たす車いすタイヤの清掃機能を備えたスロープ（車いすタイヤの清掃兼スロープ）に関する。
【背景技術】
【０００２】
貯水槽を設け、洗浄水を流し込み、植毛したエンドレスベルトを、ローラーの回転によって周回させ、或はブラシを用いた転動ロールを回転し、更に既濡の車輪をエアー若しくは、ヒーターを活用し、車輪を乾燥させる車いす車輪洗浄装置が提案されている。
【特許文献１】特開２００１−５５１２０号公報
【特許文献２】特開２００４−１７７３３号公報
【特許文献３】特開２００５−１２６０２５号公報
【考案の開示】
【考案が解決しようとする課題】
【０００３】
しかしながら、特開２００１−５５１２０号公報の車椅子洗浄装置においては、洗浄水を溜めた貯水槽の内部を回動する揺動自在な植毛したエンドレスベルトの上層に、車椅子に載った車椅子利用者自ら車輪を転動、植毛したエンドレスベルトを従動させ、車椅子の車輪を洗浄する装置は可能ではあるが、洗浄事前の貯水槽に洗浄水の準備、更に洗浄後の排水処理、それに吸水性のエンドレスベルト交換などは、介助人を頼らざるを得ず、しかも洗浄装置本体の移設なども考慮しなければならない。
【０００４】
然る事ながら、特開２００４−１７７３３号公報の車椅子車輪洗浄装置、それに特開２００５−１２６０２５号公報の車いす車輪洗浄装置において、双方どちらも前記特開２００１−５５１２０号公報の車椅子洗浄装置と同様に、貯水槽を設け、洗浄水で車輪を洗浄する洗浄装置であるが、特開２００４−１７７３３号公報の車椅子車輪洗浄装置、それに特開２００５−１２６０２５号公報の車いす車輪洗浄装置は、エアー若しくは温風で、洗浄した車輪を、乾燥させる方法が取り入れられている。
【０００５】
しかし、洗浄装置本体の内部には、給排水管及び送風管設施は元より、洗浄装置本体の設置場所近傍には、給排水設備工事、更にヒーターやエアーコンプレッサー設備工事が伴い、本体の製作費用も然る事ながら、設備などの付帯工事の費用も多く必要となり、設備設置場所も考慮しなければならず、一旦、洗浄装置本体の設置を成すと移設は困難である。
【課題を解決するための手段】
【０００６】
本考案の車いすタイヤ清掃装置兼スロープの始動は、ペタルの踏み込み操作で始まり、ペタルレバーの反転操作で、ペタルレバーに固定された大のギヤが反転し、その大のギヤに噛み合う小のギヤも回転を成し、その小のギヤに固定した大のプーリーより、ベルトを介し小のプーリーを回転させ、更にその小のプーリーに固定するローラー群を支配するプーリーを、更なるベルトで他のプーリー群を連動させ、そのプーリー群に支持したローラー群、それに従動するローラーに周回する粘着シートを装着したエンドレスローラーベルトを廻旋させることにより、粘着シートに載った車いすの車輪は自然回転し、タイヤに付着した塵や埃などの汚れを払拭する。
【０００７】
更に、玄関床よりホールや廊下などに、段差がある場合、本考案の車いすタイヤ清掃兼スロープ本体の後方部を、本体後方部に設置してある昇降装置で立ち上げ、粘着シート装着のエンドレスローラーベルトの後方天端と、段差床の天端とを同一に併せ、後方桟橋を
架けることで、介助者は、前方桟橋、更に本体カバーの歩行桟橋上を、車いすを支え通過でき、目的は成就し、上記の課題を解決する。
【考案の効果】
【０００８】
本考案の車いすタイヤ清掃装置兼スロープは、水力や空気圧力は使用せず、製作材料又は製作素材は、軽量素材を使用した構造体と成し、軽量であるがゆえに、持ち運びは自由であり、例えば介護をされている車いす乗載者が、外出よりの帰宅時、或るいは訪問先へのお伺い時、介助者は清掃装置兼スロープ本体を、好みの場所に設置でき、更に介助者の操作する車いすのタイヤに付着した塵や芥、埃などの汚れを払拭する清掃体用を脱着可能な使い捨て強力粘着シートとした。
【０００９】
本考案の車いすタイヤ清掃兼スロープは、介助者の、本体構外に設施する踏み込みペダルの踏み込み動作を起動とし、ペダルレバーの反転操作で、そのペダルレバーに属するギヤ軸に固着した大のギヤより、ピニオンを介し、タイミング伝動を活用し、タイミングベルトの周回するプーリー群の転動で、その各プーリーに連結する構内のローラー群も、プーリー同様に転動し、更にローラー群を周回する粘着シートを装着したエンドレスローラーベルトは回旋し、粘着シートの上辺に載った、塵や芥、埃を付着した車いす車輪は自然従動を余儀なくされ、粘着シートは車いすタイヤの接触面及び接触面近傍を清掃することができる。                                                                      
【００１０】
更に、高い段差の緩和には、清掃装置本体の構内に装備した昇降体の作動でスロープの勾配を大きくし、介助者のペダル踏み込み動作と併行し、介助者の車いす後押し援助動作で、粘着シートを装着したエンドレスローラーベルトに載った車いすは上方向へ進行し、目的点へ到達する。
【考案を実施するための最良の形態】
【００１１】
以下、図面を参照して、本考案の形態について説明する。
【実施例】
【００１２】
図１から図１０に示す如く、本考案の車いすタイヤ清掃兼スロープ本体１は、タイヤガード兼側板２、踏み込みペダル３、ペダルレバー３ａ、ギヤ群５の大のギヤ５ａ、小のギヤ５ｂ、小のギヤ５ｂに連結する大のプーリー６ａ、大のプーリー６ａに伝動する小のプーリー６ｂ、大と小のプーリーをつなぐタイミングベルト７、プーリー群８、プーリー群８を周回するタイミングベルト９、ローラー群１０、エンドレスローラーベルト１１、粘着シート１２、ラチェット組織１３、昇降体１９、桟橋２７などで構成されている。
【００１３】
図２に示す如く、本考案の車いすタイヤ清掃兼スロープ本体１の側板２は、左右対照に配置され、本体に向かって、片方の側板２ａの外部には、駆動体となるギヤ群５や、プーリー群６などの取り付け工作が成されてあり、例えば駆動体に衣服が巻き付く危険性があるため、図示は略であるが、防衛のためカバー取り付けなどの余裕を持たすための高さと、更に本体に向かってもう片方の側板２ｂはタイヤＣの脱輪を防ぐためにタイヤＣをガイドする役をこなす高さにする。
【００１４】
図３に示す如く、本考案の車いすタイヤ清掃廉スロープ１の駆動は、踏み込み操作で行うが、踏み込みペダル３を踏み込むことで、ペダルレバー３ａに支持する、回転軸４に固定された大のギヤ５ａが反転し、小のギヤ５ｂに伝動され、その小のギヤ５ｂに連結した大のプーリーも６ａ連動する。                                                    
【００１５】
図４に示す如く、大のプーリー６ａからタイミングベルト７を介し、小のプーリー６ｂに伝動し、その小のプーリー６ｂは、構内のエンドレスローラーベルト１１が周回するロ
ーラー群１０と、そのローラー群１０が支持するプーリー群８を誘動するプーリー８ａは、小のプーリー６ｂの軸に固定され、プーリー８ａからタイミング伝動で、他の各プーリー８ｂ〜８ｄを連動し、更に各プーリー８ａ〜８ｄの軸に支持され連結した構内のローラー群１０が、それらのプーリー群８と同様に回転する。
【００１６】
図５に示す如く、プーリー群８に支持する各軸は、側板２ａを通り抜け、構内に入り、その各軸に支持固定された、コンベア状のエンドレスローラーベルト１１を周回したローラー群１０の各ローラー１０ａ〜１０ｅは、構外のプーリー群８と同様に回転し、エンドレスローラーベルト１１も回旋する。                                              
【００１７】
図６に示す如く、ラチェット体１３は、本考案の車いすタイヤ清掃兼スロープ本体１の一環で、本体前方１ａの下部を中心点に、本体後方１ｂを上昇させる装置であり、本体片方の側板２ａの後方構外に設施され、ラチェットレバー１５の反転操作でラチェト爪１６を従動させ、ラチェットギヤ１４の反転で、ラチェットギヤ１４に支持固定した駆動軸１８も従転され、更にその駆動軸１８は本体の側板２ａを通り抜け、本体構内に進入し、昇降体１９の昇降駆動軸２０と成る。
【００１８】
図７に示すスロープの形態は、図８に示す昇降体１９の形態に基づいて、本体後方部１ｂが、本体の前方１ａの下部を中心点に昇降する形態で、清掃装置本体１の構外に位置する、ラチェット体１３のラチェットレバー１５の反転操作で本体の後方１ｂが、上下動する。
【００１９】
図８に示す如く、ラチェットギヤ軸１８は清掃装置本体１の構内に入り昇降軸２０と成り、その昇降軸２０は、予め螺旋状の螺子を施してあり、昇降体１９の上台２３より下台２４へ、下台２４より上台２３へと、たすき状に設施して成るたすき桟２１を、螺旋状の螺子を施した昇降軸２０で、たすき桟２１の下部に位置する、ガイドレール２５を要する下台２４を引き寄せ、更にたすき桟２１の上部に位置した、本体の両側板２を持ち上げる、担い筋２２を要する上台２３を、押し上げることで、清掃装置本体１は、本体の前方１ａの下部を中心点に、本体後方１ｂが、立ち上がる。
【００２０】
図９に示す如く、粘着シート１２のカートリッジホルダー２６は、使用前の粘着シートカートリッジを収納し、更に粘着シート１２を行儀良く、エンドレスローラーベルト１１に装着させる装備であり、尚、図示にある固定筋３２は、構内の必要箇所に設けられ、本体左右の側板２の振れなどの安定を図り、更に桟橋２７を架ける橋梁筋３１も、固定筋３２と同様に振れと安定を図る役もする。
【００２１】
図１０に示す如く、段差の緩和、且つ車いす清掃の目的を果たす、本考案本体１の進路方向への正面図であるが、左右の側板２の高さは対照的であり、右の側板２ａの外部には本体１の駆動装置が装備され、駆動部品の大きさと、例えばその駆動部品に、本考案の、車いすタイヤ清掃兼スロープ１利用者の衣服などが巻き付く危険性を考慮し、図示は略ではあるが防衛手段のカバー取り付け目的を考慮し高くしてあり、更に左の側板２ｂは、タイヤＣの脱輪を防ぐため、廻旋するエンドレスローラーベルト１１上辺より上方向へ高くする。                                                                          
【００２２】
亦、予め裏面に、鈎状の金物を両側端近傍に設けた前方桟橋２８の鈎部を、両側板２に支持する前方橋梁筋３１に鈎架け、前方桟橋２８の取り外し又は上下に開閉可能に施し、構内の粘着シートカートリッジホルダー２６に装備される粘着シートカートリッジの交換を容易に済ませ、更に前方桟橋２８を伏せることで、車いすを操作する介助者はその上を進行することができ、更に予め大、小に製作してある後方の桟橋２９も状況に応じ、前方桟橋２８と同様に取り外し、又は、取り替え、更に上げ下げを可能とし、カバー兼用桟橋
３０も伏せることで前方桟橋２８と同様に通過する事ができる。
【００２３】
尚、上記の実施の駆動力は、一例を示すもので、駆動装置は踏み込み操作に限定するものではなく、手動操作でもよく、亦は、商用電力を活用し、モーターなどを駆使し、駆動装置の操作を行ってもよく、更に昇降装置もモーターなどを駆使してよろしい。
【００２４】
更に、本考案の車いすタイヤ清掃兼スロープ１の形態は、駆動装置やラチェット装置は進路方向に向かって構外の右側に訴ってあるが、この形態は一例を示すもので、立地条件によって進路方向に向かって構外の左側に設施も可能である。
【００２５】
尚、本考案の車いすタイヤ清掃兼スロープ本体１の構外に設施の大小のギヤ５及び、その大小のギヤ５を支配する、踏み込みペダルレバー３ａの配置の形態は一例を示すもので、図示より、前方でも良く、又後方でもよろしいが、更に踏み込みペダルレバー３ａの長さも限定されるものではない。 
【００２６】
亦、本考案の駆動の形態はタイミング伝動としてあるが、この駆動の形態は一例を示すもので、例えばチェーン伝動を駆使してもよろしい。
【００２７】
尚、構内のローラー本数の形態は一例を示すもので、本数は限定するものではなく、太いローラー、及び細いローラーの本数は、増やすことも可能である。
【産業上の利用可能性】
【００２８】
本考案の車いすタイヤ清掃兼スロープの起動は、本体構外に設施した踏み込みペダル３の踏み込み反転操作で始まり、ペダルレバー３ａに連結するギヤ群５を介し、ギヤ群５の反転からタイミング伝動を活用し、プーリー群８を支配し、そのプーリー群８に支持した本体構内のエンドレスローラーベルト１１を周回したローラー群１０に伝動し、エンドレスローラーベルト１１は廻旋を為すが、そのエンドレスローラーベルト１１には、粘着シート１２を装備してあり、その粘着シート１２上に乗った車いすＡの車輪Ｂは、エンドレスローラーベルト１１の廻旋で従動し、粘着シート１２は、タイヤＣの接触面や接触面近傍の塵、芥、埃をくっつけ取ることができる。                                    
【００２９】
更に、屋内、屋外の段差を緩和する為には、本考案の車いすタイヤ清掃兼スロープ本体１の、構内後方部に設施されている昇降体１９を、本体の後部構外に接続されているラチェットレバー１５の反転操作で、昇降体１９は、本体の後方部を好みの地位に立ち上げることができ、介助者の操作する車いすＡは、介助者の踏み込みペダル３の踏み込み操作と、車いすＡの後押し援助で、粘着シート１２を装着したエンドレスローラーベルト１１の斜面を、乗載者を乗せた状態で目的点に達することができる。                      
【００３０】
然し乍ら、清掃面に於ても、斜面の行進に於ても実用性に優れ、更に本体の製作使用材料に、軽量素材を使用することで、本体は軽量化され、不使用の場合は動線の妨げにならない所に整理して置くこともでき、亦、自動車に持ち運びをするときには、本体の厚さには限度があり、横向きに立て掛けて載せれば、車いすと同時に運搬、或いは移設も可能で更に実用性に優れたものである。
【図面の簡単な説明】
【００３１】
【図１】実施の形態に係わる、車いすタイヤ清掃兼スロープ本体１と、本体に乗った    車いすＡの姿図である。
【図２】実施の形態に係わる、車いすタイヤ清掃兼スロープ本体１の構内、構外の斜    視図である。
【図３】実施の形態に係わる、車いすタイヤ清掃兼スロープ本体１の側面図である。
【図４】実施の形態に係わる、車いすタイヤ清掃兼スロープ本体１の、右半分の平面    図である。
【図５】実施の形態に係わる、車いすタイヤ清掃兼スロープ本体１構内の側面図であ    る。
【図６】実施の形態に係わる、車いすタイヤ清掃兼スロープ本体１構外の、ラチェッ    ト体１３の斜視図である。
【図７】実施の形態に係わる、車いすタイヤ清掃兼スロープ本体１構内後方部に設置    の、昇降体１９の昇降操作で、本体の前方１ａ下部を中心点に、本体後方部１ｂを立    ち上げた図形である。
【図８】実施の形態に係わる、車いすタイヤ清掃兼スロープ本体１の、構内後方部に    位置する、昇降体１９の斜視図である。
【図９】実施の形態に係わる、車いすタイヤ清掃兼スロープ本体１の、前方桟橋２８    を開放した斜視図である。
【図１０】実施の形態に係わる、車いすタイヤ清掃兼スロープ本体１を、正面より進    路方向に見た斜視図である。
【符号の説明】
【００３２】
Ａ      車いす  
Ｂ      車輪
Ｃ      タイヤ
１      車いすタイヤ清掃兼スロープ本体
１ａ    車いすタイヤ清掃兼スロープ本体前方部
１ｂ    車いすタイヤ清掃兼スロープ本体後方部
２      車いすタイヤ清掃兼スロープ本体の側板
２ａ    車いすタイヤ清掃兼スロープ本体の右側板
２ｂ    車いすタイヤ清掃兼スロープ本体の左側板
３      踏み込みペダル
３ａ    ペダルレバー
４      ギヤ軸
５      ギヤ群
５ａ    大のギヤ
５ｂ    小のギヤ
６      大小のプーリー
６ａ    大のプーリー
６ｂ    小のプーリー
７      大小のプーリー６を伝動するタイミングベルト
８      プーリー群    （プーリー８ａ〜８ｄ）
９      プーリー群８を連動するタイミングベルト
１０    ローラー群    （ローラー１０ａ〜１０ｅ）
１１    エンドレスローラーベルト
１２    粘着シート
１３    ラチェット体  （ラチェット組織）
１４    ラチェットギヤ
１５    ラチェットレバー
１６    ラチェット爪  （ラチェットレバーに付属）
１７    単独ラチェット爪
１８    ラチェット駆動軸  （ラチェットギヤ軸）
１９    昇降体
２０    昇降駆動軸
２１    たすき桟
２２    担い筋
２３    たすき桟の上台
２４    たすき桟の下台（たすき桟誘導台）
２５    下台のガイドレール
２６    粘着シート用カートリッジホルダー
２７    桟橋
２８    前方桟橋
２９    後方桟橋
３０    カバー兼用桟橋
３１    橋梁筋
３２    固定筋
【図１】
0003134455.tif 000003
【図２】
0003134455.tif 000004
【図３】
0003134455.tif 000005
【図４】
0003134455.tif 000006
【図５】
0003134455.tif 000007
【図６】
0003134455.tif 000008
【図７】
0003134455.tif 000009
【図８】
0003134455.tif 000010
【図９】
0003134455.tif 000011
【図１０】
0003134455.tif 000012